(57)【要約】【課題】より確実に誤離脱を防止できる管継手を提供すること。【解決手段】ソケット２とプラグ４の接続後、係止部材２４は係止部材スプリング３０によって変位阻止位置に付勢されているため変位阻止位置に変位する。よって、係止部材２４がスリーブ１２の後端部２８と係合しスリーブ１２が施錠子保持位置から施錠子解放位置へ変位することを妨げている為、ソケット２とプラグ４が離脱できなくなる。離脱する際は、係止部材２４を変位可能位置に変位させることによりスリーブ１２を変位可能にする。スリーブ１２を施錠子保持位置から施錠子解放位置まで変位させることで施錠子１８が施錠解除位置に変位可能になるため、ソケット２とプラグ４が離脱できる。【選択図】図４
2019128000.tif 000002
【特許請求の範囲】
【請求項１】
ソケットとプラグとからなる管継手のソケットであって、
前端からプラグを受け入れる通路を有する筒状の本体と、
該本体に形成された施錠子保持孔に保持され、該本体の径方向に変位可能であり、プラグを連結する施錠位置と、プラグを連結しない施錠解除位置との間で変位可能な施錠子と、
該本体の外側に位置し、該本体の長手方向に変位可能であり、該施錠子を該施錠位置に保持する施錠子保持位置と、該施錠子保持位置から後方に変位して該施錠子が該施錠解除位置に変位することを許容する施錠子解放位置との間で変位可能なスリーブと、
該本体の内側に位置し、該本体の長手方向に変位可能であり、該施錠子を該施錠解除位置に保持しプラグが挿入可能となる前方位置と、プラグが挿入されたときにプラグによって該前方位置から後方に変位して該施錠子が該施錠位置に変位可能になる後方位置との間で変位可能なカラーと、
該本体に形成された係止部材保持孔に保持され、該スリーブの後端部と係合し該スリーブが該施錠子保持位置から該施錠子解放位置へ変位することを阻止する変位阻止位置と、該スリーブが該施錠子保持位置から該施錠子解放位置へ変位することを可能とする変位可能位置との間で径方向に伸びる回転軸線を中心に回転する係止部材と、
該係止部材に、該変位可能位置から該変位阻止位置に変位させる付勢力を加えるような係止部材スプリングと、
を備えるソケット。
【請求項２】
該係止部材は、円盤形状の第一部分と、該第一部分から外側に突出し、かつ該変位阻止位置にあるときに該長手方向に伸びる第二部分とからなり、該変位可能位置にあるときには該第二部分が該長手方向と直交する方向へ伸びるようにされた請求項１に記載のソケット。
【請求項３】
該係止部材が該変位可能位置から該変位阻止位置に変位するときに該係止部材の該第二部分が該スリーブの後端部を押圧し、該スリーブを該施錠子解放位置から該施錠子保持位置へ変位させるようにした請求項２に記載のソケット。  
【請求項４】
該本体と該スリーブとの間に設けられ、該スリーブを施錠子保持位置に付勢するようなスリーブスプリングを備える請求項２または請求項３に記載のソケット。
【請求項５】
請求項１乃至４の何れか一項に記載のソケットと、該ソケットに取外し可能に連結されるプラグとからなる管継手。
【発明の詳細な説明】
【技術分野】
【０００１】
本発明は、ソケットとプラグとからなる管継手に関し、特に、接続後に誤離脱を防止するような機能を持った管継手に関する。
【背景技術】
【０００２】
このような誤離脱防止機能がある管継手として、例えば特許文献１には、スリーブに長手方向に加えて回転方向にも付勢力がかかっており、接続後にはスリーブが自動的に回転してスリーブの長手方向への変位を制限するようになっているものが示されている。離脱時にはスリーブを回転させてから引くことにより、ロックを解除するようになっている。
【先行技術文献】
【特許文献】
【０００３】
【特許文献１】特開２０１６−０８０１３４号公報
【発明の概要】
【発明が解決しようとする課題】
【０００４】
しかし、上述のような管継手は、スリーブの操作のみで離脱できるので誤離脱してしまう恐れがある。
【０００５】
本発明は、より確実に誤離脱を防止できる管継手を提供することを目的とする。
【課題を解決するための手段】
【０００６】
すなわち本発明は、
ソケットとプラグとからなる管継手のソケットであって、
前端からプラグを受け入れる通路を有する筒状の本体と、
該本体に形成された施錠子保持孔に保持され、該本体の径方向に変位可能であり、プラグを連結する施錠位置と、プラグを連結しない施錠解除位置との間で変位可能な施錠子と、
該本体の外側に位置し、該本体の長手方向に変位可能であり、該施錠子を該施錠位置に保持する施錠子保持位置と、該施錠子保持位置から後方に変位して該施錠子が該施錠解除位置に変位することを許容する施錠子解放位置との間で変位可能なスリーブと、
該本体の内側に位置し、該本体の長手方向に変位可能であり、該施錠子を該施錠解除位置に保持しプラグが挿入可能となる前方位置と、プラグが挿入されたときにプラグによって該前方位置から後方に変位して該施錠子が該施錠位置に変位可能になる後方位置との間で変位可能なカラーと、
該本体に形成された係止部材保持孔に保持され、該スリーブの後端部と係合し該スリーブが該施錠子保持位置から該施錠子解放位置へ変位することを阻止する変位阻止位置と、該スリーブが該施錠子保持位置から該施錠子解放位置へ変位することを可能とする変位可能位置との間で径方向に伸びる回転軸線を中心に回転する係止部材と、
該係止部材に、該変位可能位置から該変位阻止位置に変位させる付勢力を加えるような係止部材スプリングと、を備えるソケットを提供する。
【０００７】
当該ソケットにおいては、接続を解除する際に、係止部材を係止部材スプリングの付勢力に抗して変位可能位置としてからスリーブを施錠子解放位置に変位させる必要があるが、別部材とされた係止部材とスリーブを両方操作しなければ離脱できないため、スリーブのみの操作により離脱できる上述の従来のものと比べてより確実に誤離脱を防止できる。
【０００８】
具体的には、該係止部材は、円盤形状の第一部分と、該第一部分から外側に突出し、かつ該変位阻止位置にあるときに該長手方向に伸びる該第二部分とからなり、該変位可能位置にあるときには該第二部分が該長手方向と直交する方向へ伸びるようにすることができる。
【０００９】
より具体的には、該係止部材が該変位可能位置から該変位阻止位置に変位するときに該係止部材の該第二部分が該スリーブの後端部を押圧し、該スリーブを該施錠子解放位置から該施錠子保持位置へ変位させるようにすることができる。
【００１０】
また具体的には、該本体と該スリーブとの間に設けられ、該スリーブを施錠子保持位置に付勢するようなスリーブスプリングを備えるようにすることができる。
【００１１】
本発明はまた、上記何れかのソケットと、該ソケットに取外し可能に連結されるプラグとからなる管継手を提供する。
【００１２】
以下、本発明に係る管継手の実施形態を添付図面に基づき説明する。
【図面の簡単な説明】
【００１３】
【図１】本発明の一実施形態に係る管継手の離脱時の上面図である。
【図２】図１の管継手の側面断面図である。
【図３】図１の管継手の接続時の上面図である。
【図４】図３の管継手の側面断面図である。
【図５】図１の管継手の離脱するために係止部材を回転させた状態の上面図である。
【図６】図５の管継手の側面断面図である。
【発明を実施するための形態】
【００１４】
本発明の一実施形態に係る管継手１は、図１乃至図６に示すように、ソケット２と、このソケット２と取外し可能に接続するプラグ４とからなっている。
【００１５】
ソケット２は、図２に示すように、プラグ４を受け入れる周壁部６を有する本体８と、本体８の周壁部６の外周面１０を覆うように配置され周壁部６に対して本体８の軸線Ｍの方向に変位可能とされたスリーブ１２と、周壁部６内に配置されたカラー１４とを備える。また、周壁部６は半径方向で貫通するように形成された施錠子保持孔１６を有し、この施錠子保持孔１６には施錠子１８が設定されている。施錠子１８は、施錠子保持孔１６内において、周壁部６の内周面２０から内側に突出し、周壁部６内に受け入れられたプラグ４を係止する施錠位置と、施錠位置よりも半径方向外側の位置となり、プラグ４との係止を解除する施錠解除位置との間で変位可能となっている。スリーブ１２の内周面１２Ａと周壁部６の外周面１０との間にはスリーブスプリング２２が配置されている。
【００１６】
スリーブ１２は本体８の軸線Ｍの方向で変位可能であり、スリーブ１２は図５のように施錠子１８を施錠位置に保持する施錠子保持位置と、図１のように施錠子保持位置から後方に変位して施錠子１８が該施錠解除位置に変位することを許容する施錠子解放位置との間で変位可能となっており、スリーブスプリング２２によって施錠子保持位置に向かって付勢されている。
【００１７】
図３および図４に示すように、本体８の周壁部６には係止部材保持孔２１が形成されており、この係止部材保持孔２１に係止部材２４が配置されている。係止部材２４は、本体８の半径方向に伸びる回転軸線Ｎを中心に回転する円盤形状の第一部分２６と、第一部分２６から回転軸線Ｎと平行な方向で外側に突出し、かつ図１で見て上下方向に細長く伸びている第二部分２７を有する。係止部材２４は、図１および図２に示す変位可能位置と、図３および図４に示す変位阻止位置との間で変位可能とされている。変位阻止位置においては、第二部分２７が軸線Ｍ方向と平行な方向に伸びて、スリーブ１２の後端部２８と係合し、スリーブ１２が施錠子保持位置から施錠子解放位置へ変位することを阻止している。変位可能位置においては、第二部分２７が軸線Ｍ方向と直交する方向に伸びて、スリーブ１２が施錠子保持位置から施錠子解放位置へ変位することを可能としている。
【００１８】
さらに、係止部材保持孔２１には本体８と係止部材２４との間に係止部材スプリング３０が配置されており、係止部材２４を径方向に伸びる回転軸線Ｎを中心に図１で見て時計回りに回転する方向で変位阻止位置に向かって付勢している。
【００１９】
また、図３のように係止部材保持孔２１の後方、かつ軸線Ｍよりも図で見て上側にピン３１が設置されている。ピン３１は後方から前方に向かって係止部材保持孔２１を通るように形成されており、スリーブ１２が施錠子保持位置にあるとき、係止部材スプリング３０によって変位された係止部材２４は係止部材２４の第二部分２７がピン３１に当接して変位阻止位置に保持される。
【００２０】
カラー１４は周壁部６の内周面２０に対して軸線Ｍの方向で摺動可能に配置されており、施錠子１８を施錠解除位置に保持しプラグ４が挿入可能となる前方位置（図２）と、プラグ４が挿入されたときにプラグ４によって前方位置から後方に変位して施錠子１８が施錠位置に変位可能になる後方位置（図４）との間で変位可能となっている。
【００２１】
さらに、本体８とカラー１４の間にはカラースプリング３２が配置されており、カラースプリング３２によってカラー１４は前方位置に向かって付勢されている。
【００２２】
図１および図２の離脱状態において、カラー１４は前方位置にあり、施錠子１８はカラー１４に保持されているため施錠解除位置から施錠位置へ変位できない。このとき、スリーブ１２の斜面部３８は周壁部８の外周面１０から突出している施錠子１８に当接し、スリーブ１２は施錠子解放位置から変位できない状態にある。また、係止部材２４は、スリーブ１２の後端部２８と係止部材２４の第二部分２７が当接することにより、変位可能位置で保持される。
【００２３】
プラグ４をソケット２の周壁部６の内側に挿入していくと、プラグ４の斜面部３４がカラー１４の斜面部３５に当接して、カラー１４が後方に押し込まれていく。さらにプラグ４を挿入していくと、カラー１４が後方位置にまで移動し、プラグ４の係止溝３６が施錠子１８の内側に位置するようになると、施錠子１８への半径方向内側からの支持がなくなるため、スリーブ１２は、スリーブスプリング２２の軸線Ｍの方向への付勢力によって施錠子解放位置から施錠子保持位置まで変位しつつ、施錠子１８を斜面部３８によって押して施錠位置に変位させる。スリーブ１２が施錠子保持位置にあるときは施錠子１８が施錠解除位置に変位できなくなり、図３および図４のようにソケット２とプラグ４との接続が完了する。また、図３および図４のように、このとき係止部材２４は係止部材スプリング３０の付勢力により変位阻止位置に変位する。係止部材２４が変位阻止位置にあるときには、係止部材２４の第二部分２７がスリーブ１２の後端部２８と係合することによりスリーブ１２が施錠子保持位置から施錠子解放位置へ変位することをできなくなる。その為、ソケット２とプラグ４が離脱できない状態になる。
【００２４】
ソケット２からプラグ４を離脱する際は、図５および図６のように係止部材２４を変位可能位置に変位させることによりスリーブ１２を変位可能にする。この状態でスリーブ１２を施錠子保持位置から施錠子解放位置まで変位させることで施錠子１８が外側に変位可能になる。さらに、カラー１４が前方位置に向かって付勢されているため、カラー１４の斜面部３５がプラグの斜面部３４を押し出す。そうするとプラグ４の係止溝３６が施錠子１８を外側に押し出し、施錠子１８が施錠解除位置まで変位し、係止が解除される。これにより、ソケット２からプラグ４が離脱される。
【００２５】
なお、本発明は、ソケット２とプラグ４を接続する際に、係止部材２４が係止部材スプリング３０によって付勢されているため、変位可能位置から変位阻止位置に変位するときに係止部材２４の第二部分２７がスリーブ１２の後端部２８を押圧し、スリーブ１２を施錠子解放位置から施錠子保持位置へ変位させるため、スリーブスプリングを用いなくてもよい。
【符号の説明】
【００２６】
１：管継手
２：ソケット
４：プラグ
６：周壁部
８：本体
１０：外周面
１２：スリーブ
１４：カラー
１６：施錠子保持孔
１８：施錠子
２０：内周面
２１：係止部材保持孔
２２：スリーブスプリング
２４：係止部材
２６：第一部分
２７：第二部分
２８：後端部
３０：係止部材スプリング
３２：カラースプリング
３４：（プラグの）斜面部
３５：（カラーの）斜面部
３６：係止溝
３８：（スリーブの）斜面部
Ｍ：軸線
Ｎ：回転軸線
【図１】
2019128000.tif 000003
【図２】
2019128000.tif 000004
【図３】
2019128000.tif 000005
【図４】
2019128000.tif 000006
【図５】
2019128000.tif 000007
【図６】
2019128000.tif 000008